(57)【要約】【課題】改ざんや偽造を防止する必要のある印刷物や真贋判定が必要な印刷物、識別コードや個人情報があって１枚１枚が異なり個人情報を保護する必要のある印刷物において、改ざんや偽造の防止対策、不正使用防止対策が安価であり、物理的に堅牢であると共に、その印刷物の防止対策されている部位や構造・機能を偽造する側や不正使用する側に推測され難く悟られないようにすることにある。【解決手段】基材シート１片面又は両面に個々に異なる識別コードを記録した識別コード記録部２を有する印刷物において、前記基材シート１片面又は両面に目的とする表示画像３の他に繊維状のゴミ又は傷等の損傷印刷画像パターン（ヤレ画像パターン）に擬態させて作成した擬態画像４が印刷されている。【選択図】図１
2008093974.tif 000002
【特許請求の範囲】
【請求項１】
基材シートの片面又は両面に個々に異なる識別コードを記録した識別コード記録部を有する印刷物において、前記基材シートの片面又は両面に、目的とする表示画像の他に、繊維状のゴミ又は傷等の損傷印刷画像パターン（ヤレ画像パターン）に擬態させて作成した擬態画像が印刷されていることを特徴とする印刷物。
【請求項２】
基材シートの片面又は両面に個々に異なる識別コードを記録した識別コード記録部を有する印刷物において、前記基材シートの片面又は両面に、目的とする表示画像の他に、繊維状のゴミ又は傷等の損傷印刷画像パターン（ヤレ画像パターン）に擬態させて作成した擬態画像が印刷され、前記擬態画像が、前記識別コード記録部に記録された個々に異なる識別コードに基づいて求められる識別データに基づいて演算し、決定した画像形状データに基づき作成されていることを特徴とする印刷物。
【請求項３】
前記擬態画像が、前記識別コード記録部に記録された個々に異なる識別コードに基づいて求められる識別データに基づいて演算し、決定した画像位置データに基づき作成されていることを特徴とする請求項１又は２記載の印刷物。
【請求項４】
前記擬態画像が、前記識別コード記録部に記録された個々に異なる識別コードに基づいて求められる識別データに基づいて演算し、決定した画像色調データに基づき作成されていることを特徴とする請求項１乃至３のいずれか１項記載の印刷物。
【請求項５】
前記擬態画像が、前記識別コード記録部に記録された個々に異なる識別コードに基づいて求められる識別データに基づいて演算し、決定した曲線制御点を入力して得られる自由曲線関数によって決められる曲線形状を示す画像形状データに基づき作成されていることを特徴とする請求項２乃至４のいずれか１項記載の印刷物。
【請求項６】
前記擬態画像の画像形状データ、画像位置データ、画像色調データ等の画像データは、前記識別データを暗号化処理して得られる暗号化識別データを演算処理することにより決定されることを特徴とする請求項１乃至５のいずれか１項記載の印刷物。
【発明の詳細な説明】
【技術分野】
【０００１】
本発明は、有価証券印刷物や個人情報印刷物等の印刷物であって、改ざんや偽造を防止する必要のある印刷物、真贋判定が必要な印刷物や、識別コードや個人情報があって１枚１枚が異なり個人情報を保護する必要のある印刷物等の印刷物に関する。
【背景技術】
【０００２】
株券、クレジットカード、キャッシュカード、旅券や、宝くじ券などの抽選券、あるいは入場券や指定席等の有価証券印刷物は、改ざんや偽造を防止するための対策や真贋判定を必要とする印刷物である。また、メンバーズカードや会員証等の個人情報印刷物は、識別コードや個人情報があって、印刷物の１枚１枚が異なり、改ざんや偽造を防止すると共に不正使用を防止し、個人情報を保護する対策を必要とする印刷物である。
【０００３】
このような改ざんや偽造を防止する対策や不正使用を防止する対策を講じている印刷物においては、その防止対策が物理的に堅牢であることだけでなく、その防止対策がその印刷物のいずれの部位や構造・機能に講じられているかを、偽造する側や不正使用する側に推測され難くし、悟られないようにすることが重要である。
【０００４】
下記に本発明に関連する先行技術文献を記載する。
【特許文献１】特開２００２−１６６６８９号公報
【特許文献２】特開２００４−００９５６５号公報
【特許文献３】特開２００４−２２３９７５号公報
【発明の開示】
【発明が解決しようとする課題】
【０００５】
本発明の課題は、改ざんや偽造を防止する必要のある印刷物や真贋判定が必要な印刷物、識別コードや個人情報があって１枚１枚が異なり個人情報を保護する必要のある印刷物において、改ざんや偽造の防止対策、不正使用防止対策が安価であって、物理的に堅牢であるとともに、その印刷物の防止対策されている部位や構造・機能を、偽造する側や不正使用する側に推測され難く、悟られないようにすることにある。
【課題を解決するための手段】
【０００６】
本発明の請求項１に係る発明は、基材シートの片面又は両面に個々に異なる識別コードを記録した識別コード記録部を有する印刷物において、前記基材シートの片面又は両面に、目的とする表示画像の他に、繊維状のゴミ又は傷等の損傷印刷画像パターン（ヤレ画像パターン）に擬態させて作成した擬態画像が印刷されていることを特徴とする印刷物である。
【０００７】
本発明の請求項２に係る発明は、基材シートの片面又は両面に、個々に異なる識別コードを記録した識別コード記録部を有する印刷物において、前記基材シートの片面又は両面に、目的とする表示画像の他に、繊維状のゴミ又は傷等の損傷印刷画像パターン（ヤレ画像パターン）に擬態させて作成した擬態画像が印刷され、前記擬態画像が、前記識別コード記録部に記録された個々に異なる識別コードに基づいて求められる識別データに基づいて演算し、決定した画像形状データに基づき作成されていることを特徴とする印刷物である。
【０００８】
本発明の請求項３に係る発明は、上記請求項１又は２に係る印刷物において、前記擬態画像が、前記識別コード記録部に記録された個々に異なる識別コードに基づいて求められる識別データに基づいて演算し、決定した画像位置データに基づき作成されていることを特徴とする印刷物である。
【０００９】
本発明の請求項４に係る発明は、上記請求項１乃至３のいずれか１項に係る印刷物において、前記擬態画像が、前記識別コード記録部に記録された個々に異なる識別コードに基づいて求められる識別データに基づいて演算し、決定した画像色調データに基づき作成されていることを特徴とする印刷物である。
【００１０】
本発明の請求項５に係る発明は、上記請求項２乃至４のいずれか１項に係る印刷物において、前記擬態画像が、前記識別コード記録部に記録された個々に異なる識別コードに基づいて求められる識別データに基づいて演算し、決定した曲線制御点を入力して得られる自由曲線関数によって決められる曲線形状を示す画像形状データに基づき作成されていることを特徴とする印刷物である。
【００１１】
本発明の請求項６に係る発明は、上記請求項１乃至５のいずれか１項に係る印刷物において、前記擬態画像の画像形状データ、画像位置データ、画像色調データ等の画像データは、前記識別データを暗号化処理して得られる暗号化識別データを演算処理することにより決定されることを特徴とする印刷物である。
【発明の効果】
【００１２】
本発明の印刷物（請求項１）によれば、印刷基材シート上に個々に異なる識別コードを記録した識別コード記録部を有し、目的とする表示画像の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させた擬態画像が、固有の画像形状、画像位置、画像色調等に基づいて、実写原稿や描画デザイン原稿、あるいはＣＧ画像など画像データを用いて、モノクロあるいはカラー製版、印刷されているため、その擬態画像を目視しても、一般的に通常の印刷物に時々発生している微細な印刷傷や印刷ゴミなどとして観察され判断されるため、目立ち難く、偽造する側や不正使用する側には、偽造防止機能のある特殊加工された擬態画像としては推測され難く、偽造防止対策を悟られないようにすることができる。
【００１３】
そのために印刷物を目視あるいは光学検査機にて観察し、真偽を検査判定する際には、検査した前記印刷物に擬態画像が存在するか、また検査した前記印刷物に存在する擬態画像が、上記のようにして擬態させて作成した真正の印刷物に存在する擬態画像と、その識別コードと画像形状、又は識別コードと画像位置、又は識別コードと画像色調、又は識別コードと画像形状と画像位置と画像色調が、整合して（同じに）存在するか否かを検査し、整合（一致）する場合は真正の印刷物であると判定でき、整合しない（不一致）場合には改ざんされた偽造印刷物であると判定することができる。
【００１４】
本発明の印刷物（請求項２）によれば、印刷基材シート上に個々に異なる識別コードを記録した識別コード記録部を有し、目的とする表示画像の他に、印刷中に用紙等の被印刷体や印刷用材などによって発生したゴミや埃など、あるいは印刷版や印刷物に発生した擦り傷などによる損傷印刷画像（ヤレ画像）に擬態させた擬態画像が印刷され、その擬態画像は、印刷物に備える識別コード記録部に記録された個々に異なる識別コードに基づいて求められる識別データに基づいて演算処理し、決定した画像形状（例えば曲線形状）を示す画像データに基づき作成されており、その各々印刷物の擬態画像は、各印刷物共通の又は各印刷物毎に、そのようにして作成された固有の形状を有する。
【００１５】
そのために印刷物を目視あるいは光学検査機にて観察し、真偽を検査判定する際には、検査した前記印刷物に擬態画像が存在するか、また検査した前記印刷物に存在する擬態画像が、上記のようにして識別データに基づいて作成した真正の印刷物に存在する固有の擬態画像と、その識別コードと画像形状が整合して（同じに）存在するか否かを検査し、整合（一致）する場合は真正の印刷物であると判定でき、整合しない（不一致）場合には改ざんされた偽造印刷物であると判定することができる。
【００１６】
本発明の印刷物（請求項３）によれば、上記請求項１に係る印刷物のように、印刷基材シート上に個々に異なる識別コードを記録した識別コード記録部を有し、目的とする表示画像の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させた擬態画像が、実写原稿、描画原稿、あるいは画像データを用いて、製版、印刷等により作成され、又は上記請求項２に係る印刷物のように、識別データに基づいて演算処理し、決定した画像形状（例えば曲線形状）を示す画像データに基づき作成され、更に前記識別データに基づいて演算処理し、決定した画像位置を示す画像データに基づき作成されており、その各々印刷物の擬態画像は、各印刷物共通の又は各印刷物毎に異なる固有の形状と印刷物上の位置とを有する。
【００１７】
そのために印刷物を目視あるいは光学検査機にて観察し、真偽を検査判定する際には、検査した前記印刷物が、上記のようにして識別データに基づいて作成した個々の真正の印刷物毎に存在するそれぞれ固有の擬態画像と、その識別コードと画像形状、又は識別コードと画像位置、又は識別コードと画像形状と画像位置が、整合して（同じに）存在するか否かを検査し、整合（一致）する場合は、真正の印刷物であると判定でき、整合しない（不一致）場合には、改ざんされた偽造印刷物であると判定することができる。
【００１８】
本発明の印刷物（請求項４）によれば、上記請求項３に係る印刷物のように、印刷基材シート上に個々に異なる識別コードを記録した識別コード記録部を有し、目的とする表示画像の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させた擬態画像が、実写原稿、描画原稿、あるいは画像データを用いて、製版、印刷等により作成され、又は識別データに基づいて演算処理し、決定した画像形状（例えば曲線形状）を示す画像データに基づき作成され、更に前記識別データに基づいて演算処理し、決定した画像位置を示す画像データに基づき作成され、更に前記識別データに基づいて演算処理し、決定した画像色調を示す画像データに基づき作成されており、その各々印刷物の擬態画像は、各印刷物共通の又は各印刷物毎に、そのようにして作成された固有の形状と印刷物上の位置と色調とを有する。
【００１９】
そのために印刷物を目視あるいは光学検査機にて観察し、真偽を検査判定する際には、検査した前記印刷物が、上記のようにして識別データに基づいて作成した個々の真正の印刷物毎に存在するそれぞれ固有の擬態画像と、その識別コードと画像形状、又は識別コードと画像位置、又は識別コードと画像色調、又は識別コードと画像形状と画像色調が、整合して（同じに）存在するか否かを検査し、整合（一致）する場合は真正の印刷物であると判定でき、整合しない（不一致）場合には改ざんされた偽造印刷物であると判定することができる。
【００２０】
本発明の印刷物（請求項５）によれば、上記請求項１、２、３、４に係る印刷物の前記擬態画像が、前記識別データに基づいて演算し、決定した制御点を任意に入力することにより得られる各種形状の曲線、例えばベジェ曲線数式、スプライン曲線数式などの自由曲線関数によって決められる曲線形状の画像データに基づき作成されている。
【００２１】
そのため、その自由曲線関数の制御点を識別データに基づいて求めることにより、識別データ毎に、印刷物上に、例えば印刷傷や印刷ゴミなどのパターンである偽造防止パターンとしては目立たないパターンに擬態させた擬態画像に相応しい固有の曲線を得ることが可能であり、例えば、１乃至数本のパルプ繊維などの繊維状パターンに類似させて擬態させた形状の擬態画像を容易に得ることができる。
【００２２】
本発明の印刷物（請求項６）によれば、上記請求項１、２、３、４、５に係る印刷物の前記擬態画像の画像形状データ、画像位置データ、画像色調データ等の画像データは、前記識別データを暗号化処理して得られる暗号化識別データを演算処理することにより決定される。
【００２３】
そのため、本発明の各印刷物の印刷基材シート上の識別コード記録部に記録された個々に異なる識別コードを、万一、偽造や不正をする側によって解読されたとしても、識別コードは暗号化処理されているため、前記識別コードから擬態画像の画像形状データ、画像位置データ、画像色調データ等の画像データを解析、解読されることを防止することができる。
【発明を実施するための最良の形態】
【００２４】
本発明の請求項１に係る印刷物を、その実施の形態に沿って以下に詳細に説明すれば、図１は、本発明の印刷物Ａの平面図であり、基材シート１１の片面又は両面に、識別コード（例えば、０１４９８７４３）を可視状態又は不可視状態にて記録した識別コード記録部１２を備え、また前記基材シート１１の片面又は両面には、その印刷物の名称、所在、銘柄、あるいはその印刷物の内容、記事など、必要に応じて目的とする顔写真等の写真画像、絵柄、風景画、彩色、文字、数字等の表示画像１３が、オフセット印刷、グラビア印刷、凸版印刷、スクリーン印刷等の印刷方式、あるいは転写インクシートを用いた転写方式等にて画像形成されている。
【００２５】
本発明の印刷物Ａには、前記表示画像１３の他に、繊維状のゴミ又は傷等の損傷印刷画像パターン（ヤレ画像パターン）に擬態させて作成した擬態画像１４が印刷されている。図２は、一例としてゴミのラインを擬態表現した擬態画像１４の拡大平面図である。
【００２６】
印刷物Ａの識別コード記録部１２に記録されている前記識別コードは、印刷にて印字された可視表示記録コード、あるいは磁気記録コード、ＩＣチップのメモリ記録コードなどであり、その印刷物の一枚毎に個々に異なる識別コード、あるいはその印刷物の各ロット毎に個々に異なる識別コードとして記録されている。
【００２７】
前記擬態画像１４は、印刷物Ａの表面、裏面、あるいは表裏両面の任意な位置に形成されていて、該擬態画像１４の位置は、印刷物の原稿入校工程、製版工程、印刷工程など、いずれかの印刷物の製造工程にて予め設定されたものである。印刷物Ａ上の前記擬態画像１４のパターンは、その形状、色調などを、通常の繊維状のゴミ又は傷等の損傷印刷画像パターン（ヤレ画像パターン）に擬態させて形成してある。
【００２８】
そのために、一見して、この印刷物Ａの製造工程中にゴミが付着したり傷が付いたりして発生する普通のゴミ又は傷等、人為的でない損傷印刷画像パターンとして観察されて、擬態による特殊加工された人為的な画像としては観察され難いことが特徴である。そのため本発明の印刷物Ａの擬態画像１４は、当該印刷物Ａに固有の位置、形状、色調等の情報を持つ画像として成立する。
【００２９】
上記印刷物Ａの真偽を検査判定する際には、この印刷物Ａを、目視あるいは光学検査機
にて観察し、検査した前記印刷物Ａが、上記のようにして擬態画像が作成された真正の印刷物に存在する擬態画像と、その形状、位置、色調のうちいずれか１種乃至全てが整合（一致）する擬態画像を備えているか否かを検査し、整合（一致）する場合は、真正の印刷物であると判定し、整合しない（不一致）場合には、改ざんされた偽造印刷物であると判定するものである。
【００３０】
本発明における上記印刷物Ａは、その識別コード記録部１２に記録された識別コードの情報と、印刷物Ａ上での擬態画像１４の形成位置、形状、色調等の擬態画像の情報とが関連付けられていない場合である。
【００３１】
本発明における印刷物Ａとしては、識別コード記録部１２に記録された識別コードの情報と、印刷物Ａ上での擬態画像１４の形成位置、形状、色調等の擬態画像の情報とを関連付けて、下記のように識別コードの情報に基づいて擬態画像の情報を適宜に設定するようにすることができる。そして本発明の上記印刷物Ａは、その擬態画像１４が、印刷物Ａの一枚毎に識別コード記録部１２に記録された個々に異なる識別コード、あるいはその印刷物Ａの各ロット毎に個々に異なる識別コードに基づいて求められる識別データに基づいて演算し決定した画像形状データ、画像位置データ、画像色調データの画像データに基づき作成されているものである。
【００３２】
すなわち、本発明の請求項２に係る印刷物Ａは、図１に示すように、基材シート１１の片面又は両面に、個々に異なる識別コードを記録した識別コード記録部１２を有する印刷物において、前記基材シート１１の片面又は両面に、目的とする表示画像１３の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させて作成した擬態画像１４が印刷されていて、前記擬態画像１４は、前記識別コード記録部１２に記録された個々に異なる識別コードに基づいて求められる識別データに基づいて、演算し、決定した画像形状データに基づき作成されているものである。
【００３３】
この印刷物Ａの真偽を検査判定する際には、印刷物Ａを目視あるいは光学検査機にて観察し、観察、検査した前記印刷物に擬態画像が存在するか、また検査した前記印刷物に存在する擬態画像が、上記のようにして識別データに基づいて作成した真正の印刷物に存在する固有の擬態画像と、その識別コードと画像形状が整合して（同じに）存在するか否かを検査し、整合（一致）する場合は、真正の印刷物であると判定し、整合しない（不一致）場合には、改ざんされた偽造印刷物であると判定するものである。
【００３４】
また、本発明の請求項３に係る印刷物Ａは、図１に示す上記請求項１に係る印刷物Ａのように、基材シート１１の片面又は両面に、個々に異なる識別コードを記録した識別コード記録部１２を有する印刷物において、前記基材シート１１の片面又は両面に、目的とする表示画像１３の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させた擬態画像１４が、実写原稿、描画原稿、あるいは画像データを用いて、製版、印刷等により作成されていて、その各々印刷物Ａの擬態画像１４は、各印刷物共通の又は各印刷物毎に異なる、固有の形状と印刷物上の位置とを有する。
【００３５】
あるいは、上記請求項２に係る印刷物Ａのように、上記擬態画像１４が、識別データに基づいて演算処理し、決定した画像形状（例えば曲線形状）を示す画像データに基づき作成され、更に前記識別データに基づいて演算処理し、決定した画像位置を示す画像データに基づき作成されていて、その各々印刷物Ａの擬態画像１４は、各印刷物共通の又は各印刷物毎に異なる、固有の形状と印刷物上の位置とを有する。
【００３６】
この印刷物Ａの真偽を検査判定する際には、印刷物Ａを目視あるいは光学検査機にて観察し、観察、検査した前記印刷物Ａが、上記のようにして作成した個々の真正の印刷物毎に存在するそれぞれ固有の擬態画像１４と、その識別コードと画像形状、又は識別コードと画像位置、又は識別コードと画像形状と画像位置が、整合して（同じに）存在するか否かを検査し、整合（一致）する場合は、真正の印刷物であると判定でき、整合しない（不一致）場合には、改ざんされた偽造印刷物であると判定するものである。
【００３７】
また、本発明の請求項４に係る印刷物Ａは、上記請求項３に係る印刷物のように、印刷基材シート上に個々に異なる識別コードを記録した識別コード記録部を有し、目的とする表示画像の他に、印刷中に用紙等の被印刷体や印刷用材などによって発生したゴミや埃など、あるいは印刷版や印刷物に発生した擦り傷などのパターンによる損傷印刷画像（ヤレ画像）に擬態させた擬態画像が、実写原稿、描画原稿、あるいは画像データを用いて、製版、印刷等により作成され、又は識別データに基づいて演算処理し、決定した画像形状（例えば曲線形状）を示す画像データに基づき作成され、更に前記識別データに基づいて演算処理し、決定した画像位置を示す画像データに基づき作成され、更に前記識別データに基づいて演算処理し、決定した画像色調を示す画像データに基づき作成されており、その各々印刷物の擬態画像は、各印刷物共通の又は各印刷物毎に、そのようにして作成された固有の形状と印刷物上の位置と色調とを有する。
【００３８】
そのために印刷物を目視あるいは光学検査機にて観察し、真偽を検査判定する際には、検査した前記印刷物が、上記のようにして識別データに基づいて作成した個々の真正の印刷物毎に存在するそれぞれ固有の擬態画像と、その識別コードと画像形状、又は識別コードと画像色調、又は識別コードと画像形状と画像色調が、整合して（同じに）存在するか否かを検査し、整合（一致）する場合は真正の印刷物であると判定でき、整合しない（不一致）場合には改ざんされた偽造印刷物であると判定することができる。
【００３９】
本発明の印刷物Ａの擬態画像１４は、印刷物Ａ上に設けられた識別コード記録部１２に記録されている前記識別データに基づいて演算し、決定した制御点（ｘ，ｙ座標値）を任意に入力することにより得られる各種形状の曲線、例えばベジェ曲線数式、スプライン曲線数式などの自由曲線関数によって決められる曲線形状の画像データに基づき作成することができる。図３は、図２に示す擬態画像１４の曲線ラインと、その曲線ラインを決定するために自由曲線関数（例えばベジェ曲線数式）に入力する曲線ライン両端の制御点０、９と、その曲線ライン上の中間の制御点１、２、３、・・・８を示す。
【００４０】
そして、その自由曲線関数に入力するための制御点は、各印刷物Ａ１枚毎、又は各印刷物Ａの製造ロット毎に異なる識別データに基づいて決定し、その決定した制御点を自由曲線関数に入力することにより、識別データ毎に、印刷物Ａ上に、例えば印刷傷や印刷ゴミなどのパターンである偽造防止パターンとしては目立たないパターンに擬態させた擬態画像に相応しい固有の曲線を得るものである。例えば、１乃至数本のパルプ繊維などの繊維状パターンに類似させて擬態させた形状の擬態画像を得る。
【００４１】
ここでベジェ曲線とは、４個の点（制御点）で構成され、両端の制御点は曲線の端点（オンカーブ点）を表し、両端間の２個の制御点は曲線の両端点（制御点）における接線方向を示す方向点（オフカーブ点）を表す。そして両端の制御点の間を３次関数で表現したものである。ベジェ曲線の数式（三次式）は下記のように表される。
【００４２】
ｘ，ｙ；座標値  ｔ；０≦ｔ≦１
ｘ＝（１−ｔ）3 ｘ1 ＋３（１−ｔ）2 ｔｘ2 ＋３（１−ｔ）ｔ2 ｘ3 ＋ｔ3 ｘ4 
・・・・・（１）
ｙ＝（１−ｔ）3 ｙ1 ＋３（１−ｔ）2 ｔｙ2 ＋３（１−ｔ）ｔ2 ｙ3 ＋ｔ3 ｙ4 
・・・・・（２）
また、Ｎ次スプライン曲線とは、ｎ＋１個の点（オンカーブ点）を結ぶ滑らかな曲線の一種であり、各点と点の間を３次関数で表現し、点での接続が滑らかになるようにしたものである。Ｎ次スプライン曲線数式（二次スプライン曲線；二次式）は下記のように表される。
【００４３】
ｘ，ｙ；座標値  ｔ；０≦ｔ≦１
ｘ＝（１−ｔ）2 ｘ1 ＋２ｔ（１−ｔ）ｘ2 ＋ｔ2 ｘ3     ・・・・・（３）
ｙ＝（１−ｔ）2 ｙ1 ＋２ｔ（１−ｔ）ｙ2 ＋ｔ2 ｙ3     ・・・・・（４）
また、本発明の印刷物Ａにおいては、各印刷物Ａの識別コード基づいて得られる識別データによって求められる擬態画像１４の画像形状データ、画像位置データ、画像色調データ等の画像データは、前記識別データを、一旦、暗号化処理して暗号化識別データとして、擬態画像１４の作成用データのセキュリティ性能を高めた上で、得られた暗号化識別データを演算処理することにより決定することができる。
【００４４】
本発明の印刷物Ａの擬態画像及びその擬態画像の形成方法について以下に説明する。図４は、擬態画像としてのゴミライン画像の形成工程を説明するフローチャート図、図５は本発明の印刷物Ａの一例を説明する平面図である。
【００４５】
＜ステップＳ１＞
図４に示すように、まず、本発明の印刷物Ａの識別コード記録部１２に記録される識別コードとしては、例えばＩＣＡＯ規格で指定される８８キャラクタのコードが使用される。このコードから演算に必要な係数や結果を求めるわけであるが、偽造や変造、不正改ざんをしようとする者がゴミの存在に気付いた場合、識別コードとして単純に見えているコードを使用してしまうと、そのコードの解析を行うことにより簡単に模造品が作られてしまう危険性がある。
【００４６】
＜ステップＳ２＞
そこで識別コードに対して暗号化処理を行う。
【００４７】
＜ステップＳ３＞
次に、擬態画像１４となるゴミラインの画像色調は、Ｒｅｄ、Ｇｒｅｅｎ、Ｂｌｕｅの３色の各８ビットデータで構成されるが、この各色のデータを、８８キャラクタのコードから複雑に関連付けることにより暗号化処理して、画像色調データの演算に必要な係数や結果を求め、色コードの生成を行う。
【００４８】
例えば、「３文字目のキャラクタコードの１３で割った剰余に８８キャラクタのコードの総和を掛けて２５０で割った剰余を加算する」といったものである。このような暗号手法は、本発明においては他にも様々な手段を採用することが可能である。
【００４９】
＜ステップＳ４＞
次に、擬態画像１４となるゴミラインの画像位置は、印刷物Ａ（基材シート１１）の面の横方向Ｘ、縦方向Ｙを独立して求め、上記の画像色調を表す色データと同様に８８キャラクタのコードから複雑に関連付けて、画像位置データの演算に必要な係数や結果を求め、擬態画像１４の配置位置の生成を行う。
【００５０】
＜ステップＳ５＞
次に、擬態画像１４となるゴミラインの画像形状は、例えばベシェ曲線の作成の場合は、ベジェ関数（ベジェ曲線数式）に用いる制御点を生成する。例えば、その制御点を１０点程、生成させる。
【００５１】
＜ステップＳ６＞
制御点を生成した後は、この制御点を使ってベジェ関数に則り、ベシェ曲線によるライン形状の描画生成をする。また画像形状の描画は、例えばスプライン関数（スプライン曲線数式）を用いてスプライン曲線によるラインを描画することも可能である。あるいは、幾つかのベジェ曲線を接合した形状でもよい。図３に示す曲線は、制御点０〜３のベジェ曲線、３〜６のベジェ曲線、６〜９のベジェ曲線を繋いで描画したものである。
【００５２】
＜ステップＳ７＞
擬態画像１４となるゴミラインの画像色調、画像位置、画像形状が決定した後は、更に、如何にもゴミらしく見えるように、ラインにスムージングなどの画像処理（イフェクト）を施すようにしてもよい。
【００５３】
＜ステップＳ８＞
その後、画像位置のデータ情報に基づいて、目的とする本来の表示画像１３の画像データに、擬態画像１４となるゴミラインの画像データを挿入する。
【００５４】
＜ステップＳ９＞
続いて、その画像データをプリンタに送信する。
【００５５】
＜ステップＳ１０＞
続いて、その画像データに基づいて、図２に示すようなゴミラインによる擬態画像１４を含んだ画像をプリント出力して、図１、図５に示すような印刷物Ａを作成する。
【００５６】
例えば、本発明の印刷物Ａとして、図５に示すようなパスポート冊子は、元々、有色の繊維や蛍光繊維などを含んだ用紙を使用しており、ゴミに擬態させたゴミ画像は発見がされ難い上、発見されたとしても、識別コード（あるいは暗号化処理された識別コード）から決定される制御点や曲線形状による画像形状、あるいは画像色調、画像位置までは、偽造することは非常に困難となる。
【００５７】
また、このゴミラインによる擬態画像１４を無視して偽造品が作成されたとしても、その偽造された印刷物Ａの識別コード（例えば８８キャラクタ）に基づいて、本来真正品（本物）にあるべき擬態画像１４のゴミラインの画像形状、あるいは画像色調、画像位置を生成するソフトウエアを用いて、真正品（本物）に本来あるべき擬態画像１４の画像形状、あるいは画像色調、画像位置を生成することにより、その印刷物Ａの真贋を検証することが可能である。特に印刷物Ａがパスポートや旅券等の場合には、入国管理場などでのチェックが容易になる。また、擬態画像１４の印刷には、耐候性（耐光性）のある顔料インクを用いることにより長期間の品質保持が可能になる。
【００５８】
本発明の印刷物Ａのプリント出力や印刷方法としては、本発明においては特に限定されるものではないが、静電印刷（電子写真）方式プリンタ、レーザーヘッド方式プリンタ、サーマルヘッド方式プリンタなどの電子方式プリンタを用いた印刷方法、あるいはオフセット印刷、グラビア印刷、スクリーン印刷などの印刷方法や、中間転写フィルムなどの転写フィルム（シート）を用いた転写印刷方式、間接転写印刷方式などが使用できる。
【００５９】
本発明の印刷物Ａの印刷方式として、間接転写印刷方式による製造工程の一例を、図６に示す製造装置の側面図に基づいて以下に説明する。
【００６０】
間接転写印刷方式は、図６に示すように、巻出部２１から巻取部２３に巻き出されて巻き取られるインクリボン２２（例えば顔料インクリボン）は、プラテンローラ２８の周面
から僅かに離間した位置にガイドローラ２４ｂ、２４ｃなどのガイドローラを介して巻き出される。巻出部２６から巻取部３２に巻き出されて巻き取られる被転写体である中間転写フィルム２７はプラテンローラ２８の周面に半周程度が密着して巻き付けられる。なお、２８ａは中間転写フィルム２７の巻き出し位置を検知するための位置検知センサー、２８ｂ、２８ｃはクランプローラ、２８ｄはクリーニングローラである。
【００６１】
前記インクリボン２２と中間転写フィルム２７との対向位置にはサーマルヘッド２４（サーマルプリンティングヘッド）が設置されて第一次転写工程が実施される。即ち、サーマルヘッド２４は、インクリボン２２及び中間転写フィルム２７が送行を停止中において、プラテンローラ２８周面に密着する中間転写フィルム２７面に僅かに離間して対向する前記インクリボン２２側から中間転写フィルム２７面に向かって前進して押し付けられて、前記リボン２２とフィルム２７との対向内面側にある該インクリボン２２の所定の色のインク層（顔料インク層）をサーマルヘッド２４により画像状（ドット画像状）に加熱する。これにより、該顔料インクリボン２２の加熱溶融した画像状（ドット画像状）の顔料インク層が、前記インクリボン２２とフィルム２７との対向内面側にある中間転写フィルム２７の受像層上に溶解転写方式によりカラー若しくはモノクロの転写用画像として転写する。転写が終了した後は、前記サーマルヘッド２４は一旦、後退してインクリボン２２から離反し、インクリボン２２と中間転写フィルム２７とは離反する。
【００６２】
前記インクリボン２２は、インク層がＣ（シアン）、Ｍ（マゼンタ）、Ｙ（イエロー）、Ｋ（ブラック）などの色に塗り分けられており、順方向（巻出部２１から巻取部２３の方向）にインクリボン２２を送行させながら、センサー２４ａにて、該センサー２４ａと対向してインクリボン２２に形成されている色パネル（図示せず）（センサーマーク）を読み取る。これによりインクリボン２２の色パネルの位置を認識し、その色パネル位置認識信号に基づいて、定位置にあるサーマルヘッド２４と発熱すべき当該色のインク層の位置とを整合させるために巻き出すべきインクリボン２の巻き出し送行量が決定される。
【００６３】
そして、前記インクリボン２２と被転写体である中間転写フィルム２７とは、それぞれ巻出部２１と巻取部２３、及び巻出部２６と巻取部３２とによる間欠的な巻き出し送行動作、及びブラテンローラ２８とその周面にて周接回転するクランプローラ２８ｂ、２８ｃ（押さえローラ）との間欠的な回転動作により、互いに同期して同一速度にて間欠的に巻き出されて送行する。
【００６４】
また、被転写体である中間転写フィルム２７は、ブラテンローラ２８周面に周接して回転するクランプローラ２８ａ、２８ａによって押さえられ、該プラテンローラ２８周面の半周程度に密接して位置ズレのないように送行する。
【００６５】
図６に示すように、前記中間転写フィルム２７の受像層上に画像状（ドット画像状）の顔料インク層によるカラー若しくはモノクロの転写用画像が転写された中間転写フィルム２７は、プラテンローラ２８の回転により、ガイドロール３０ａを介して送行移動して、該中間転写フィルム２７の巻き出し送行速度と同じ速度で同期的に、前進（図面右方向）移動動作及び後退復帰動作可能な被印刷体台盤２９上に載置固定した基材シート１１（印刷物となる被印刷体）上に、その転写用画像が対向する位置まで導入される。そして、プレスロール３０を介して、該基材シート１１面に中間転写フィルム２７の転写用画像のある受像層側が重ね合わせられて第二次転写工程が実施される。なお、３１はヒータローラ、３１ａはヒータローラ３１に内装するヒーター、３１ｂは温度検出センサー、３１ｃはクリーニングローラである。
【００６６】
即ち、図６に示すように、被印刷体台盤９上に載置された基材シート１１面に中間転写フィルム２７の転写用画像のある受像層側が重ね合わせられ、閉鎖しているヒートローラ
シャッター３１ｄが開放し、ヒートローラ３１（ローラ内部にヒータ３１ａを内装）の周面が中間転写フィルム２７面まで下降動作して受像層の加熱を開始すると共に、被印刷体台盤２９の基材シート１１及び中間転写フィルム２７が同じ速度にて同期的に前進（図面右方向）移動して、プレスロール３０により押圧している中間転写フィルム２７の受像層にある転写用画像を、識別コード記録部１２、表示画像１３、擬態画像１４等として、基材シート１１に転写して本発明の印刷物Ａが形成される。
【図面の簡単な説明】
【００６７】
【図１】本発明の印刷物の一実施の形態を説明する平面図。
【図２】本発明の印刷物の擬態画像におけるライン形状を説明する平面図。
【図３】本発明の印刷物の擬態画像のライン形状を作成するための制御点を説明する平面図。
【図４】本発明の印刷物において擬態画像を作成する工程を説明するフローチャート図。
【図５】本発明の印刷物の他の実施の形態を説明する平面図。
【図６】本発明の印刷物を製造するための工程及び装置を説明する側面図。
【符号の説明】
【００６８】
１１…基材シート
１２…識別コード記録部
１３…表示画像
１４…擬態画像
Ａ…印刷物
２１…巻出部
２２…インクリボン
２３…巻取部
２４…サーマルヘッド
２６…巻出部
２７…中間転写フィルム
２８…プラテンローラ
２９…被印刷体台盤
３０…プレスローラ
３１…ヒーターローラ
３２…巻取部
【図１】
2008093974.tif 000003
【図２】
2008093974.tif 000004
【図３】
2008093974.tif 000005
【図４】
2008093974.tif 000006
【図５】
2008093974.tif 000007
【図６】
2008093974.tif 000008